(57)【要約】【課題】現用機器が障害等により運用を停止した時に、コールドスタンバイ中の予備装置を自動起動させ、予備装置で運用を継続させることが可能なネットワークシステムを提供する。【解決手段】バックアップ電源装置３０は、現用のネットワーク装置１０が稼働中、予備のネットワーク装置２０に電源が投入されないよう制御する。また、バックアップ電源装置３０は、稼働中のネットワーク装置１０を監視し、ネットワーク装置１０が障害等で運用を停止した時に、ネットワーク装置２０に電源供給を開始し、ネットワーク装置１０の電源供給をストップさせる。【選択図】  図１
2014098963.tif 000002
【特許請求の範囲】
【請求項１】
ネットワーク回線に接続された現用装置と、現用装置が停止した場合に使用する予備装置と、予備装置用のバックアップ電源装置を備えたネットワークシステムであって、
前記ネットワーク回線を予備装置に接続する分岐装置をさらに備え、
前記バックアップ電源装置は、現用装置の状態監視を行う監視部と、前記監視部によって現用装置が停止したことが検出された場合に前記予備装置に電源を供給する制御部とを備えたことを特徴とする、ネットワークシステム。
【請求項２】
前記バックアップ電源装置は、前記現用装置が正常動作中は当該現用装置に電源供給を行い、前記監視部が現用装置の停止を検出すると、前記制御部は前記現用装置への電源供給を停止することを特徴とする、請求項１記載のネットワークシステム。
【発明の詳細な説明】
【技術分野】
【０００１】
本発明は、コールドスタンバイ方式により二重化されたネットワークシステムに関する。
【背景技術】
【０００２】
従来のルータ、スイッチングハブ等の機器を使用したネットワークシステムにおいては、コールドスタンバイ方式による二重化が知られている。図３は、従来のコールドスタンバイ方式によるネットワークシステムの一例を示すシステム構成図である。
図３に示すように、ルータ、スイッチングハブ等の現用のネットワーク装置１１０は、信号伝送用ケーブル１５０を介して他の機器に、ＬＡＮケーブル１５１を介してネットワーク回線に、また、電源ケーブル１５２を介して電源装置に接続され、データ通信等の運用を行っている。
一方、予備の装置であるネットワーク装置１２０は、信号伝送用ケーブル１５０、ＬＡＮケーブル１５１、および電源ケーブル１５２が接続されておらず、データ通信等が行われていないオフライン状態である。
【０００３】
従って、現用のネットワーク装置１１０が障害等によって運用を停止した時には、保守員が現場に移動し、ネットワーク装置１１０から信号伝送用ケーブル１５０、ＬＡＮケーブル１５１、および電源ケーブル１５２等を外し、コールドスタンバイ中の予備の装置であるネットワーク装置１２０に差し替え、ネットワーク装置１２０に電源を投入して運用を引き継がなければならなかった。
そのため、保守員が現場に到着し作業が完了するまでシステムの運用がダウンすることとなり、稼働率の悪化を招くばかりでなく、顧客に迷惑をかけるという問題があった。
また、保守員を現場に派遣して作業をさせるため、都度余計な経費がかかってしまうという問題があった。
また、保守員が現場でＬＡＮケーブル等の差し替えを行うため、オペレーションミス等の人為的なミスが発生するといった問題があった。
【０００４】
本発明に関連する公知技術として、特許文献１には、二重化された構内無線システムにおいて、障害発生時も通話状態を継続させて運用することができる無線システムが開示されており、コールドスタンバイの問題をホットスタンバイによって解決することが記載されている。
【先行技術文献】
【特許文献】
【０００５】
【特許文献１】特開２０１２−１００００１号公報
【発明の概要】
【発明が解決しようとする課題】
【０００６】
しかし、特許文献１では、現用系が動作している時に、予備系がホットスタンバイ状態で待機し常に稼働状態にあることから、運用コストが増加するだけでなく、装置並びに装置内の電子部品の寿命にも影響を及ぼすという問題があった。
【０００７】
本発明は、上記事情に鑑みてなされたものであって、現用装置が障害等により運用を停止した時に、コールドスタンバイ中の予備装置を自動起動させ、予備装置で運用を継続させることが可能なネットワークシステムを提供することを目的とする。
【課題を解決するための手段】
【０００８】
上記目的を達成するための本発明に係るネットワークシステムは、ネットワーク回線に接続された現用装置と、現用装置が停止した場合に使用する予備装置と、予備装置用のバックアップ電源装置を備えたネットワークシステムであって、前記ネットワーク回線を予備装置に接続する分岐装置をさらに備え、前記バックアップ電源装置は、現用装置の状態監視を行う監視部と、前記監視部によって現用装置が停止したことが検出された場合に前記予備装置に電源を供給する制御部とを備えたことを特徴とする。
【０００９】
また、上記目的を達成するための本発明に係るネットワークシステムは、前記バックアップ電源装置は、前記現用装置が正常動作中は当該現用装置に電源供給を行い、前記監視部が現用装置の停止を検出すると、前記制御部は前記現用装置への電源供給を停止することを特徴とする。
【発明の効果】
【００１０】
本発明によれば、現用装置が障害等により運用を停止した時に、コールドスタンバイ中の予備装置を自動起動させ、予備装置で運用を継続させることができる。
また、現用装置が障害等により運用を停止した時に、保守員を現場に派遣し作業をさせることがなくなるため、余計な経費の発生及び人為的なミスの発生を防止することができる。
【図面の簡単な説明】
【００１１】
【図１】本発明の実施形態１に係るコールドスタンバイ方式によるネットワークシステムのシステム構成図である。
【図２】バックアップ電源装置３０の動作を示すフローチャートである。
【図３】従来のコールドスタンバイ方式によるネットワークシステムの一例を示すシステム構成図である。
【発明を実施するための形態】
【００１２】
＜実施形態１＞
以下に、本発明の実施形態１に係るコールドスタンバイ方式によるネットワークシステムについて、図面を参照して詳細に説明する。
図１は、本発明の実施形態１に係るコールドスタンバイ方式によるネットワークシステムのシステム構成図である。
本発明のネットワークシステムは、ルータ、スイッチングハブ等の現用のネットワーク装置１０と、現用のネットワーク装置１０に障害等が発生した場合に、切り替えるための予備のネットワーク装置２０と、ネットワーク装置１０とネットワーク装置２０に電源を供給するバックアップ電源装置３０と、ネットワーク装置１０とネットワーク装置２０をＬＡＮケーブル１５１を介して同一のネットワーク回線に接続させる分岐装置４０ａと、ネットワーク装置１０とネットワーク装置２０を信号伝送用ケーブル１５０を介して同一の他の機器に接続させる分岐装置４０ｂとから構成されている。
【００１３】
また、バックアップ電源装置３０は、ネットワーク装置１０及びネットワーク装置２０の状態を監視する監視部３０ａと、ネットワーク装置１０及びネットワーク装置２０への電源の供給を制御する制御部３０ｂとを備えている。
バックアップ電源装置３０は、現用のネットワーク装置１０が稼働中、予備のネットワーク装置２０に電源が投入されないよう制御する。また、バックアップ電源装置３０は、稼働中のネットワーク装置１０を監視し、ネットワーク装置１０が障害等で運用を停止した時に、ネットワーク装置２０に電源供給を開始し、ネットワーク装置１０の電源供給をストップさせる。
また、電源が供給されたネットワーク装置２０は、ネットワーク装置１０から運用を引き継ぎ、稼働を開始する。
【００１４】
そこで、バックアップ電源装置３０の動作について、図２を参照して詳細に説明する。
図２は、バックアップ電源装置３０の動作を示すフローチャートである。
ステップＳ１０１において、バックアップ電源装置３０の監視部３０ａは、電源供給制御ケーブル１５３を介してネットワーク装置１０に状態確認信号を送信する。
ステップＳ１０２において、監視部３０ａは、ネットワーク装置１０から電源供給制御ケーブル１５３を介して送信された応答信号を受信する。
ステップＳ１０３において、監視部３０ａは、受信した応答信号からネットワーク装置１０の停止の有無を判断し、「なし」の場合、ステップＳ１０１に戻り、「あり」の場合、ステップＳ１０４に進む。
ステップＳ１０４において、監視部３０ａは、制御部３０ｂにネットワーク装置２０に対して電源供給するよう指示し、制御部３０ｂは、電源供給制御ケーブル１５３を介してネットワーク装置２０に電源供給する。
ステップＳ１０５において、監視部３０ａは、制御部３０ｂにネットワーク装置１０に対して電源供給をストップするよう指示し、制御部３０ｂは、電源供給制御ケーブル１５３を介してネットワーク装置１０の電源供給をストップする。
【００１５】
以上説明したように、本発明の実施形態１に係るネットワークシステムによれば、現用装置が障害等により運用を停止した時に、コールドスタンバイ中の予備装置を自動起動させ、予備装置で運用を継続させることができる。
また、現用装置が障害等により運用を停止した時に、保守員を現場に派遣し作業をさせることがなくなるため、余計な経費の発生及び人為的なミスの発生を防止することができる。
【００１６】
ここで、本発明に係るシステムや装置などの構成としては、必ずしも上記したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも上記したものに限られず、本発明は、種々な分野に適用することが可能なものである。
また、本発明に係るシステムや装置などにおいて行われる各種の処理としては、例えばプロセッサやメモリ等のハードウエア資源を備えたコンピュータが、コンピュータ読み取り可能な記録媒体に永続的に格納されたプログラムを実行することにより、制御される構成が用いられてもよい。また、当該処理を実行するための各機能手段が独立したハードウエア回路として構成されてもよい。
【符号の説明】
【００１７】
１０：ネットワーク装置、２０：ネットワーク装置、３０：バックアップ電源装置、３０ａ：監視部、３０ｂ：制御部、４０ａ：分岐装置、４０ｂ：分岐装置、１１０：ネットワーク装置、１２０：ネットワーク装置、１５０：信号伝送用ケーブル、１５１：ＬＡＮケーブル、１５２：電源ケーブル、１５３：電源供給制御ケーブル。
【図１】
2014098963.tif 000003
【図２】
2014098963.tif 000004
【図３】
2014098963.tif 000005